(57)【要約】  ワイヤレス電力トランスミッタとワイヤレス電力レシーバとの間の位置を決定するための装置が提供される。装置は、フェライト構造を備える。装置は、フェライト構造の上または周りに巻きつけられたフレキシブルプリント回路上の金属トレースから形成された複数の検出ループをさらに備える。複数の検出ループの各々は、ソレノイド検出ループを備える。フェライト構造は、第１のフェライトブロックと、第１のフェライトブロックに隣接して配置された第２のフェライトブロックとを備える。第１のワイヤレス電力伝達コイルは、第１のフェライトブロックの上または周りに巻きつけられる。第２のワイヤレス電力伝達コイルは、第２のフェライトブロックの上または周りに巻きつけられる。複数の検出ループの各検出ループは、検出ループの巻線平面に垂直な方向に流れる磁束の量を感知するように構成される。
2018524957.tif 000002
【特許請求の範囲】
【請求項１】
ワイヤレス電力トランスミッタとワイヤレス電力レシーバとの間の位置を決定するための装置であって、
フェライト構造と、
前記フェライト構造の上または周りに巻きつけられたフレキシブルプリント回路上の金属トレースから形成された複数の検出ループとを備える、装置。
【請求項２】
前記複数の検出ループの各々が、ソレノイド検出ループを備える、請求項１に記載の装置。
【請求項３】
前記フェライト構造が、第１のフェライトブロックと、前記第１のフェライトブロックに隣接して配置された第２のフェライトブロックとを備える、請求項１に記載の装置。
【請求項４】
前記第１のフェライトブロックの上または周りに巻きつけられた第１のワイヤレス電力伝達コイルと、
前記第２のフェライトブロックの上または周りに巻きつけられた第２のワイヤレス電力伝達コイルとをさらに備える、請求項３に記載の装置。
【請求項５】
前記フェライト構造が、ホルダー内に配置された複数のフェライトタイルを備える、請求項１に記載の装置。
【請求項６】
前記複数の検出ループの各検出ループが、前記検出ループの巻線平面に垂直な方向に流れる磁束の量を感知するように構成される、請求項１に記載の装置。
【請求項７】
前記複数の検出ループのうちの１つが、前記フェライト構造の上面の周辺に沿って配置される、請求項１に記載の装置。
【請求項８】
前記複数の検出ループのうちの１つが、前記フェライト構造の側縁に沿って配置される、請求項１に記載の装置。
【請求項９】
ワイヤレス電力トランスミッタとワイヤレス電力レシーバとの間の位置を決定するための方法であって、
フェライト構造の上または周りに巻きつけられたフレキシブルプリント回路上の金属トレースから形成された複数の検出ループの各検出ループに対して、前記検出ループの巻線平面に垂直な方向に流れる磁束の量を感知するステップと、
前記複数の検出ループの各々によって感知された前記磁束の量に少なくとも部分的に基づいて、前記ワイヤレス電力トランスミッタと前記ワイヤレス電力レシーバとの間の前記位置を決定するステップとを含む、方法。
【請求項１０】
前記複数の検出ループの各々が、ソレノイド検出ループを備える、請求項９に記載の方法。
【請求項１１】
前記フェライト構造が、第１のフェライトブロックと、前記第１のフェライトブロックに隣接して配置された第２のフェライトブロックとを備える、請求項９に記載の方法。
【請求項１２】
第１のワイヤレス電力伝達コイルが、前記第１のフェライトブロックの上または周りに巻きつけられ、
第２のワイヤレス電力伝達コイルが、前記第２のフェライトブロックの上または周りに巻きつけられる、請求項１１に記載の方法。
【請求項１３】
前記フェライト構造が、ホルダー内に配置された複数のフェライトタイルを備える、請求項９に記載の方法。
【請求項１４】
前記複数の検出ループのうちの１つが、前記フェライト構造の上面の周辺に沿って配置される、請求項９に記載の方法。
【請求項１５】
前記複数の検出ループのうちの１つが、前記フェライト構造の側縁に沿って配置される、請求項９に記載の方法。
【請求項１６】
ワイヤレス電力トランスミッタとワイヤレス電力レシーバとの間の位置を決定するための装置を製作するための方法であって、
フェライト構造を設けるステップと、
複数の検出ループを形成するために前記フェライト構造の上または周りに巻きつけられるように構成可能なフレキシブルプリント回路上に複数の金属トレースを形成するステップと、
前記フレキシブルプリント回路を前記フェライト構造の上または周りに巻きつけるステップとを含む、方法。
【請求項１７】
前記複数の検出ループの各々が、ソレノイド検出ループを備える、請求項１６に記載の方法。
【請求項１８】
前記フェライト構造が、第１のフェライトブロックと、前記第１のフェライトブロックに隣接して配置された第２のフェライトブロックとを備える、請求項１６に記載の方法。
【請求項１９】
第１のワイヤレス電力伝達コイルを前記第１のフェライトブロックの上または周りに配置するステップと、
第２のワイヤレス電力伝達コイルを前記第２のフェライトブロックの上または周りに配置するステップとをさらに含む、請求項１８に記載の方法。
【請求項２０】
前記フェライト構造が、ホルダー内に配置された複数のフェライトタイルを備える、請求項１６に記載の方法。
【請求項２１】
前記複数の検出ループの各検出ループが、前記検出ループの巻線平面に垂直な方向に流れる磁束の量を感知するように構成される、請求項１６に記載の方法。
【請求項２２】
前記複数の検出ループのうちの１つが、前記フェライト構造の上面の周辺に沿って配置される、請求項１６に記載の方法。
【請求項２３】
前記複数の検出ループのうちの１つが、前記フェライト構造の側縁に沿って配置される、請求項１６に記載の方法。
【請求項２４】
ワイヤレス電力トランスミッタとワイヤレス電力レシーバとの間の位置を決定するための装置であって、
複数の感知するための手段であって、各感知するための手段が、前記感知するための手段の巻線平面に垂直な方向に流れる磁束の量を感知するように構成され、かつフェライト構造の上または周りに巻きつけられるように構成可能なフレキシブルプリント回路上の複数の金属トレースから形成される、複数の感知するための手段と、
前記複数の感知するための手段の各々によって感知された前記磁束の量に少なくとも部分的に基づいて、前記ワイヤレス電力トランスミッタと前記ワイヤレス電力レシーバとの間の前記位置を決定するための手段とを含む、装置。
【請求項２５】
前記複数の感知するための手段の各々が、ソレノイド検出ループを備える、請求項２４に記載の装置。
【請求項２６】
前記フェライト構造が、第１のフェライトブロックと、前記第１のフェライトブロックに隣接して配置された第２のフェライトブロックとを備える、請求項２４に記載の装置。
【請求項２７】
前記第１のフェライトブロックの上または周りに巻きつけられた電力をワイヤレスに伝達するための第１の手段と、
前記第２のフェライトブロックの上または周りに巻きつけられた電力をワイヤレスに伝達するための第２の手段と、をさらに含む、請求項２６に記載の装置。
【請求項２８】
前記フェライト構造が、ホルダー内に配置された複数のフェライトタイルを備える、請求項２４に記載の装置。
【請求項２９】
前記複数の感知するための手段のうちの１つが、前記フェライト構造の上面の周辺に沿って配置される、請求項２４に記載の装置。
【請求項３０】
前記複数の感知するための手段のうちの１つが、前記フェライト構造の側縁に沿って配置される、請求項２４に記載の装置。
【発明の詳細な説明】
【技術分野】
【０００１】
本出願は、一般に、ワイヤレス充電電力伝達用途に関し、より詳細には、ワイヤレス誘導充電電力用途におけるソレノイド位置決めアンテナの統合に関する。
【背景技術】
【０００２】
ワイヤレス誘導充電電力用途における効率は、ワイヤレス電力トランスミッタとワイヤレス電力レシーバとの間の少なくとも１つの最小整合しきい値を達成すること少なくとも部分的に依存する。そのような整合を支援するための一方法は磁気ベクトル化の使用であり、そこにおいて、ワイヤレス電力トランスミッタとワイヤレス電力レシーバとの間の距離および／または方向が、ワイヤレス電力トランスミッタまたはワイヤレス電力レシーバのいずれかによって生成される磁場の１つまたは複数の属性を感知することに基づいて決定される。しかしながら、そのような磁気ベクトル化方法の感度は、ワイヤレス電力トランスミッタのフェライトに極めて密接して配置されている位置決めセンサ、コイルまたはアンテナに少なくとも部分的に依存する場合がある。したがって、本明細書で説明するワイヤレス誘導充電電力用途におけるソレノイド位置決めアンテナの統合が望ましい。
【発明の概要】
【課題を解決するための手段】
【０００３】
いくつかの実装形態によれば、ワイヤレス電力トランスミッタとワイヤレス電力レシーバとの間の位置を決定するための装置が提供される。装置は、フェライト構造を備える。装置は、フェライト構造の上または周りに巻きつけられたフレキシブルプリント回路上の金属トレースから形成された複数の検出ループを備える。
【０００４】
いくつかの他の実装形態では、ワイヤレス充電電力トランスミッタとワイヤレス充電電力レシーバとの間の相対位置を決定するための方法が提供される。方法は、フェライト構造の上または周りに巻きつけられたフレキシブルプリント回路上の金属トレースから形成された複数の検出ループの各々に対して、検出ループの巻線平面に垂直な方向に流れる磁束の量を感知するステップを含む。方法は、複数の検出ループの各々によって感知された磁束の量に少なくとも部分的に基づいて、ワイヤレス電力トランスミッタとワイヤレス電力レシーバとの間の位置を決定するステップを含む。
【０００５】
また他の実装形態では、ワイヤレス電力トランスミッタとワイヤレス電力レシーバとの間の位置を決定するための装置を製作するための方法が提供される。方法は、フェライト構造を設けるステップを含む。方法は、複数の検出ループを形成するためにフェライト構造の上または周りに巻きつけられるように構成可能なフレキシブルプリント回路上の複数の金属トレースを形成するステップを含む。方法は、フレキシブルプリント回路をフェライト構造の上または周りに巻きつけるステップを含む。
【０００６】
また他の実装形態では、ワイヤレス電力トランスミッタとワイヤレス電力レシーバとの間の位置を決定するための装置が提供される。装置は、複数の感知するための手段を含み、各感知するための手段は、感知するための手段の巻線平面に垂直な方向に流れる磁束の量を感知するように構成され、かつフェライト構造の上または周りに巻きつけられるように構成可能なフレキシブルプリント回路上の複数の金属トレースから形成される。装置は、複数の感知するための手段の各々によって感知された磁束の量に少なくとも部分的に基づいて、ワイヤレス電力トランスミッタとワイヤレス電力レシーバとの間の位置を決定するための手段を含む。
【図面の簡単な説明】
【０００７】
【図１】いくつかの実装形態によるワイヤレス電力伝達システムの機能ブロック図である。
【図２】いくつかの他の実装形態によるワイヤレス電力伝達システムの機能ブロック図である。
【図３】いくつかの実装形態による、送電または受電カプラを含む、図２の送電回路構成または受電回路構成の一部分の概略図である。
【図４】いくつかの実装形態による、図１〜図３のいずれかに関連して説明したものと同様のダブルＤワイヤレス電力伝達システムの展開等角図である。
【図５】いくつかの実装形態による、図４のワイヤレス電力伝達システム内で利用される複数の磁気ベクトル化検出ループの図である。
【図６】いくつかの実装形態による、図４の磁気ベクトル化検出ループおよびワイヤレス電力伝達システムの一部分の等角図である。
【図７】いくつかの実装形態による、図４の磁気ベクトル化検出ループおよびワイヤレス電力伝達システムの反転された一部分の等角図である。
【図８】いくつかの実装形態による、図４の磁気ベクトル化検出ループおよびワイヤレス電力伝達システムの一部分の折畳み等角図である。
【図９】いくつかの実装形態による、図４の磁気ベクトル化検出ループおよびワイヤレス電力伝達システムの一部分の破断図である。
【図１０】いくつかの実装形態による、複数のフェライトタイルを利用する図１〜図３のいずれかに関して説明したものと同様の別のワイヤレス電力伝達システムの展開等角図である。
【図１１】いくつかの実装形態による、図１０のワイヤレス電力伝達システムの一部分の展開等角図である。
【図１２】いくつかの実装形態による、複数の磁気ベクトル化検出ループを含む図１０のワイヤレス電力伝達システムの一部分の等角図である。
【図１３】いくつかの実装形態による、図１０のワイヤレス電力伝達システムの一部分の展開等角図である。
【図１４】いくつかの実装形態による、図１０のワイヤレス電力伝達システムの一部分の等角図である。
【図１５】いくつかの実装形態による、図１０のワイヤレス電力伝達システムの反転された一部分の等角図である。
【図１６】いくつかの実装形態による、ワイヤレス電力トランスミッタとワイヤレス電力レシーバとの間の位置を決定するための方法を示すフローチャートである。
【図１７】いくつかの実装形態による、ワイヤレス電力トランスミッタとワイヤレス電力レシーバとの間の位置を決定するための装置を製作するための方法を示すフローチャートである。
【発明を実施するための形態】
【０００８】
以下の発明を実施するための形態では、本開示の一部を形成する添付の図面を参照する。詳細な説明、図面、および特許請求の範囲において説明される例示的な実装形態は、限定的であることを意味しない。本明細書で提示する主題の趣旨または範囲から逸脱することなく、他の実装形態が利用されてよく、他の変更が加えられてよい。本明細書で概略的に説明し、図に示すような本開示の態様は、多種多様な異なる構成で配置、置換、組合せ、および設計されてよく、それらのすべてが明示的に企図され本開示の一部を形成することが容易に理解されよう。
【０００９】
ワイヤレス電力伝達は、物理的な電気導体を使用することなく、電場、磁場、電磁場などに関連する任意の形態のエネルギーをトランスミッタからレシーバに伝達する（たとえば、電力は、自由空間を通して伝達されることがある）ことを指す場合がある。電力伝達を実現するために、ワイヤレス場（たとえば、磁場または電磁場）の中に出力された電力は、「受電カプラ」によって受けられ、取り込まれ、または結合され得る。
【００１０】
本明細書で使用する用語は、特定の実装形態を説明することのみを目的とするものであり、本開示の限定であることは意図されない。特定の数の請求項要素が意図される場合、そのような意図が特許請求の範囲において明示的に記載され、そのような記載がない場合、そのような意図が存在しないことが理解されよう。たとえば、本明細書で使用される場合、単数形「ａ」、「ａｎ」、および「ｔｈｅ」は、文脈がそうでないことを明確に示さない限り、同様に複数形も含むことが意図される。本明細書で使用する「および／または」という用語は、関連する列挙された項目のうちの１つまたは複数のあらゆる組合せを含む。さらに、「備える（ｃｏｍｐｒｉｓｅｓ）」、「備えている（ｃｏｍｐｒｉｓｉｎｇ）」、「含む（ｉｎｃｌｕｄｅｓ）」、および「含んでいる（ｉｎｃｌｕｄｉｎｇ）」という用語は、本明細書で使用されるとき、述べられた特徴、整数、ステップ、動作、要素、および／または構成要素の存在を明示するが、１つまたは複数の他の特徴、整数、ステップ、動作、要素、構成要素、および／またはそれらのグループの存在または追加を排除しないことが理解されよう。「のうちの少なくとも１つ」などの表現は、要素の列挙の後に続くとき、要素の列挙全体を修飾するものであり、列挙の個々の要素を修飾するのではない。
【００１１】
図１は、いくつかの実装形態によるワイヤレス電力伝達システム１００の機能ブロック図である。エネルギー伝達を実行するために送電カプラ１１４を介してワイヤレス場（たとえば、磁場または電磁場）１０５を生成するために、電源（図示せず）からトランスミッタ１０４に入力電力１０２が供給され得る。レシーバ１０８は、レシーバ１０８がトランスミッタ１０４によって生成されたワイヤレス場１０５内に位置しているときに電力を受電し得る。ワイヤレス場１０５は、トランスミッタ１０４によって出力されたエネルギーがレシーバ１０８によって取り込まれ得る領域に対応する。レシーバ１０８は、ワイヤレス場１０５に結合し、蓄積のため、または出力電力１１０に結合されるデバイス（この図には示さず）による消費のために出力電力１１０を生成し得る。トランスミッタ１０４とレシーバ１０８の両方は、距離１１２だけ分離される。
【００１２】
例示的な一実装形態では、送電カプラ１１４によって生成された時間変動磁場を介して、電力が誘導的に伝達される。トランスミッタ１０４およびレシーバ１０８は、相互共振関係に従ってさらに構成され得る。レシーバ１０８の共振周波数とトランスミッタ１０４の共振周波数が実質的に同じであるか、または極めて接近しているとき、トランスミッタ１０４とレシーバ１０８との間の送電損失は最小である。しかしながら、トランスミッタ１０４とレシーバ１０８との間の共振が整合しないときでも、効率が低減する場合があるが、エネルギーが伝達され得る。たとえば、共振が整合しないとき、効率が低くなる場合がある。エネルギーの伝達は、送電カプラ１１４から自由空間にエネルギーを伝搬させるのではなく、送電カプラ１１４のワイヤレス場１０５から、ワイヤレス場１０５の近傍に存在する受電カプラ１１８にエネルギーを結合することによって行われる。したがって、共振誘導結合技法は、効率の改善と、様々な距離にわたる、様々な誘導カプラ構成による電力伝達とを可能にし得る。
【００１３】
いくつかの実装形態では、ワイヤレス場１０５は、トランスミッタ１０４の「近距離場」に相当する。近距離場は、送電カプラ１１４から離れて最小限に電力を放射する送電カプラ１１４の中の電流および電荷からもたらされる強い反応場が存在する領域に相当し得る。近距離場は、送電カプラ１１４の約１波長（または、その数分の一）内にある領域に相当し得る。効率的なエネルギー伝達は、電磁波のエネルギーの大部分を遠距離場に伝搬するのではなく、ワイヤレス場１０５内のエネルギーの大部分を受電カプラ１１８に結合することによって行われ得る。ワイヤレス場１０５内に位置するとき、送電カプラ１１４と受電カプラ１１８との間に「結合モード」が展開される場合がある。
【００１４】
図２は、いくつかの他の実装形態によるワイヤレス電力伝達システム２００の機能ブロック図である。システム２００は、図１のシステム１００と同様の動作および機能のワイヤレス電力伝達システムである場合がある。しかしながら、システム２００は、図１と比較して、ワイヤレス電力伝達システム２００の構成要素に関して追加の詳細を提供する。システム２００は、トランスミッタ２０４およびレシーバ２０８を含む。トランスミッタ２０４は、発振器２２２、ドライバ回路２２４、およびフィルタ／整合回路２２６を含む送電回路構成２０６を含む。発振器２２２は、周波数制御信号２２３に応答して調整され得る所望の周波数において信号を生成するように構成され得る。発振器２２２は、発振器信号をドライバ回路２２４に供給する。ドライバ回路２２４は、入力電圧信号（ＶＤ）２２５に基づいて、送電カプラ２１４の共振周波数において送電カプラ２１４を駆動するように構成される場合がある。
【００１５】
フィルタ／整合回路２２６は、高調波または他の不要な周波数をフィルタ除去し、送電回路構成２０６のインピーダンスを送電カプラ２１４に整合させる。送電カプラ２１４を駆動する結果として、送電カプラ２１４は、ワイヤレス場２０５を生成し、バッテリー２３６を充電するのに十分なレベルにおいて電力をワイヤレス出力する。
【００１６】
レシーバ２０８は、整合回路２３２および整流器回路２３４を含む受電回路構成２１０を含む。整合回路２３２は、受電回路構成２１０のインピーダンスを受電カプラ２１８のインピーダンスに整合させ得る。整流器回路２３４は、交流（ＡＣ）電力入力から直流（ＤＣ）電力出力を生成し、バッテリー２３６を充電し得る。レシーバ２０８およびトランスミッタ２０４は、さらに、別個の通信チャネル２１９（たとえば、Ｂｌｕｅｔｏｏｔｈ（登録商標）、Ｚｉｇｂｅｅ、セルラーなど）上で通信し得る。レシーバ２０８およびトランスミッタ２０４は、代替として、ワイヤレス場２０５の特性を使用するバンド内シグナリングを介して通信し得る。いくつかの実装形態では、レシーバ２０８は、トランスミッタ２０４によって送電されレシーバ２０８によって受け取られる電力量がバッテリー２３６を充電するのに適しているかどうかを判定するように構成され得る。
【００１７】
図３は、いくつかの実装形態による、図２の送電回路構成２０６または受電回路構成２１０の一部の概略図である。図３に示すように、送電または受電回路構成３５０はカプラ３５２を含んでもよい。カプラ３５２は、「導体ループ」、コイル、インダクタ、または「磁気」カプラと呼ばれるか、またはそのように構成される場合もある。「カプラ」という用語は、概して、別の「カプラ」に結合するためのエネルギーをワイヤレスに出力し得るかまたは受け得る構成要素を指す。
【００１８】
ループカプラまたは磁気カプラの共振周波数は、ループカプラまたは磁気カプラのインダクタンスおよびキャパシタンスに基づいている。インダクタンスは単にカプラ３５２によって生成されたインダクタンスであり得るが、キャパシタンスは、所望の共振周波数において、または特定の動作基準によって設定もしくは規定された固定周波数において、ある共振構造を作り出すためにキャパシタ（または、カプラ３５２の自己キャパシタンス）を介して加えられる場合がある。非限定的な例として、共振周波数において信号３５８を選択する共振回路を形成するために、送電または受電回路構成３５０にキャパシタ３５４およびキャパシタ３５６が付加されてもよい。したがって、より大きいインダクタンスを示す大きい直径のカプラを使用する、より大きいサイズのカプラの場合、共振を生み出すのに必要なキャパシタンスの値は、より小さい場合がある。さらに、カプラのサイズが増大するにつれて、結合効率は増大し得る。このことは、主に送電カプラと受電カプラの両方のサイズが大きくなる場合に当てはまる。送電カプラの場合、実質的にカプラ３５２の共振周波数に相当する周波数において発振する信号３５８が、カプラ３５２への入力であり得る。
【００１９】
図４は、いくつかの実装形態による、図１〜図３のいずれかに関して説明したものと同様のダブルＤワイヤレス電力伝達システムの展開等角図４００である。図４は、第１のワイヤレス電力伝達コイルと第２のワイヤレス電力伝達コイルとを備え得るダブルＤコイル４２０の上に配置されたカバー４２２を示す。いくつかの実装形態では、第１のワイヤレス電力伝達コイルはまた、「電力をワイヤレスに伝達するための第１の手段」として知られている場合があり、またはその手段の少なくとも一部分を含む場合がある。いくつかの実装形態では、第２のワイヤレス電力伝達コイルはまた、「電力をワイヤレスに伝達するための第２の手段」として知られている場合があり、またはその手段の少なくとも一部分を含む場合がある。ダブルＤコイル４２０の下に、複数の磁気ベクトル化検出ループ４１４、４１６、４１８ａ、４１８ｂが示されている。また、図４は、複数の絶縁層４１０ａ、４１０ｂ、４１０ｃ、４１０ｄを示しており、それらの絶縁層は、いくつかの実装形態ではマイラーから製造される場合がある。絶縁層４１０ａ〜４１０ｄの下に、第１のフェライトブロック４０２に隣接して配置された第１のフェライトブロック４０２および第２のフェライトブロック４０４が示されている。いくつかの実装形態では、第１のフェライトブロック４０２および第２のフェライトブロック４０４の少なくとも一方の端部は、巻線の１つの層から巻線の隣接する層に遷移するダブルＤコイル４２０の部分のための間隙を与えるために面取りされる場合がある。複数の検出ループ４１４、４１６、４１８ａ、４１８ｂに対する最小曲げ半径を与える、第１の半径固定具４２４ａおよび第２の半径固定具４２４ｂが示されている。絶縁層４０８は、第１のフェライトブロック４０２および第２のフェライトブロック４０４の各々とバックプレート４０６との間に示されている。ワイヤレス電力伝達システムの上述の部分の多くならびにアセンブリまたは構成の順序または方法について、図５〜図９に関して以下でより詳細に説明する。
【００２０】
図５は、いくつかの実装形態による、図４のワイヤレス電力伝達システム内で利用される複数の磁気ベクトル化検出ループ４１４、４１６、４１８ａ、４１８ｂの図５００である。検出ループ４１４、４１６、４１８ａ、４１８ｂの各々は、フレキシブルプリント回路（ＦＰＣ）またはリボンケーブル上に製作された金属および／または導電性トレースから形成された（たとえば、ソレノイドコイルを備える）ソレノイド検出ループであってもよい。いくつかの実装形態では、検出ループ４１４、４１６、４１８ａ、４１８ｂの各々は、単一で単体のフレキシブルプリント回路またはリボンケーブル上に製作された金属および／または導電性トレースから形成されてもよい。検出ループ４１４、４１６、４１８ａ、４１８ｂの各々は、図６に関してさらに説明するように、図４に示す第１のフェライトブロック４０２および第２のフェライトブロック４０４の一方または両方の、それぞれの部分の上もしくは周りおよびそれぞれの軸周りに巻きつけられることになる。いくつかの実装形態では、検出ループ４１４、４１６、４１８ａ、４１８ｂの各々は１０ｍｍの幅を有するが、任意の他の幅もまた企図される。検出ループ４１８ａおよび検出ループ４１８ｂはそれぞれ、３８７．８ｍｍの長さを有するが、任意の他の長さもまた企図される。検出ループ４１６は４０８ｍｍの長さを有するが、任意の他の長さもまた企図される。検出ループ４１４は、丸められた端部（たとえば、平坦に置かれたときの検出ループ４１４、４１６、４１８ａ、４１８ｂの平面内で丸められた端部）を有する長方形の断面の中に実質的に形成され得る。この長方形の断面は、８３ｍｍ×７０ｍｍの外部寸法を有し得るが、任意の他の外部寸法もまた企図される。
【００２１】
図６は、いくつかの実装形態による、図４の磁気ベクトル化検出ループ４１４、４１６、４１８ａ、４１８ｂおよびワイヤレス電力伝達システムの一部分の等角図６００である。図６は、第１のフェライトブロック４０２および第２のフェライトブロック４０４を示す。いくつかの実装形態では、フレキシブルプリント回路（ＦＰＣ）またはリボンケーブルを備える検出ループ４１４、４１６、４１８ａ、４１８ｂは、第１のフェライトブロック４０２および第２のフェライトブロック４０４の上に置かれてもよい。
【００２２】
いくつかの実装形態では、検出ループ４１８ａは、第２のフェライトブロック４０４に隣接する端部において第１のフェライトブロック４０２の（図６に示す向きに対して）上面に置かれてもよい。しかしながら、検出ループ４１８ａは、図６に示す向きに平行な向きにおいて、第１のフェライトブロック４０２の上面の任意の場所に置かれてもよい。
【００２３】
いくつかの実装形態では、検出ループ４１８ｂは、第１のフェライトブロック４０２に隣接する端部において第２のフェライトブロック４０４の（図６に示す向きに対して）上面に置かれてもよい。しかしながら、検出ループ４１８ｂは、図６に示す向きに平行な向きにおいて、第２のフェライトブロック４０４の上面の任意の場所に置かれてもよい。同じ向きを有する検出ループ４１８ａと検出ループ４１８ｂの両方が存在する理由は、第１のフェライトブロック４０２は第２のフェライトブロック４０４と物理的に接触していないので、第１のフェライトブロック４０２および第２のフェライトブロック４０４を通過する磁束をそれぞれ、その磁束が第１のフェライトブロック４０２と第２のフェライトブロック４０４との間のギャップを通過する必要なしに閉じ込めるために、両検出ループ４１８ａ、４１８ｂが望ましいからである。
【００２４】
いくつかの実装形態では、検出ループ４１６は、第１および第２の検出ループ４１８ａ、４１８ｂの向きに実質的に直交する向きにおいて、第１のフェライトブロック４０２と第２のフェライトブロック４０４の両方の（図６に示す向きに対して）上面に置かれてもよい。
【００２５】
いくつかの実装形態では、検出ループ４１４が第１のフェライトブロック４０２および第２のフェライトブロック４０４の各々の外縁に沿ってまたは隣接して配置されるように、検出ループ４１４が、第１のフェライトブロック４０２と第２のフェライトブロック４０４の両方の（図６に示す向きに対して）上面に置かれてもよい。
【００２６】
複数の検出ループ４１４、４１６、４１８ａ、４１８ｂが第１のフェライトブロック４０２および／または第２のフェライトブロック４０４の上に置かれると、絶縁層４０８は、複数の検出ループ４１４、４１６、４１８ａ、４１８ｂならびに第１のフェライトブロック４０２および第２のフェライトブロック４０４の（図６に示す向きに対して）上に置かれてもよい。いくつかの実装形態では、絶縁層４０８は、一緒に接触する表面を固定または保持するために、片面または両面の上に接着剤を有してもよい。
【００２７】
図７は、いくつかの実装形態による、図４の磁気ベクトル化検出ループ４１４、４１６、４１８ａ、４１８ｂおよびワイヤレス電力伝達システムの反転された一部分の等角図７００である。図７は、見やすくするために、図６に対して反転されている。図７では、第１のフェライトブロック４０２および第２のフェライトブロック４０４の端部に沿って複数の検出ループ４１４、４１６、４１８ａ、４１８ｂの各々の最小曲げ半径を制御するために、第１および第２の半径固定具４２４ａ、４２４ｂが、第１のフェライトブロック４０２および第２のフェライトブロック４０４の側縁に対してまたは接触して取り付けられてもよい。なぜならば、検出ループ４１４、４１６、４１８ａ、４１８ｂは、閉ループを形成するために第１のフェライトブロック４０２および／または第２のフェライトブロック４０４ならびに第１および第２の半径固定具４２４ａ、４２４ｂの上または周りに巻きつけられるからである。バックプレート４０６は、片面または両面の上に接着剤を有する場合がある絶縁層４０８を利用して第１のフェライトブロック４０２および第２のフェライトブロック４０４に付着されてもよい。
【００２８】
図８は、いくつかの実装形態による、図４の磁気ベクトル化検出ループ４１４、４１６、４１８ａ、４１８ｂおよびワイヤレス電力伝達システムの一部分の折畳み等角図８００である。図８は、バックプレート４０６、第１のフェライトブロック４０２、第２のフェライトブロック４０４、および複数の検出ループ４１４、４１６、４１８ａ、４１８ｂを示す。複数の検出ループ４１４、４１６、４１８ａ、４１８ｂの各検出ループは、検出ループの巻線平面に垂直な方向に流れる磁束８０２、８０４、８０６の量を感知するように構成される。たとえば、検出ループ４１４の巻線平面はＸ−Ｙ平面内にあってよく、検出ループ４１６の巻線平面はＸ−Ｚ平面内にあってよく、検出ループ４１８ａ、４１８ｂの巻線平面はＸ−Ｚ平面内にあってよい。図示のように、複数の検出ループ４１４のうちの１つは、フェライト構造（たとえば、第１のフェライトブロック４０２および第２のフェライトブロック４０４）の上面の外周に沿って配置される。いくつかの実装形態では、複数の検出ループ４１４のうちの１つは、たとえばフェライト構造の上部ではなく、フェライト構造の側縁に沿って配置される。いくつかの実装形態では、検出ループ４１４、４１６、４１８ａ、４１８ｂはまた、「複数の感知するための手段」として知られている場合があり、またはその手段の少なくとも一部分を含む場合があり、各感知するための手段は、感知するための手段の巻線平面に垂直な方向に流れる磁束の量を感知するように構成され、フェライト構造の上または周りに巻きつけられるように構成可能なフレキシブルプリント回路上の複数の金属トレースから形成される。また、図８は、複数の検出ループ４１４、４１６、４１８ａ、４１８ｂのうちの対応する検出ループに接続するように、それらの検出ループから信号を受信するように、および／またはそれらの検出ループに信号を送信するように構成された１つまたは複数の構成要素またはプロセッサを含み得る第１のＰＣＢ４１２ａおよび第２のＰＣＢ４１２ｂを示す。したがって、第１および第２のＰＣＢ４１２ａ、４１２ｂは、複数の検出ループ４１４、４１６、４１８ａ、４１８ｂのうちの対応する検出ループに接続され得る。いくつかの実装形態では、第１および第２のＰＣＢ４１２ａ、４１２ｂ内の構成要素および／またはプロセッサは、特定の実装形態に応じて、単一のＰＣＢに、または代替として、３つ以上のＰＣＢに統合されてもよい。その上、いくつかの実装形態では、ＰＣＢ４１２ａ、４１２ｂの一方または両方は、複数の検出ループの各々によって感知された磁束の量に少なくとも部分的に基づいて、ワイヤレス電力トランスミッタとワイヤレス電力レシーバとの間の位置を決定するように構成されたプロセッサを備える場合がある。いくつかの実装形態では、ＰＣＢ４１２ａ、４１２ｂは、複数の感知するための手段の各々によって感知された磁束の量に少なくとも部分的に基づく「ワイヤレス電力トランスミッタとワイヤレス電力レシーバとの間の位置を決定するための手段」として知られている場合があり、またはその手段の少なくとも一部分を含む場合がある。
【００２９】
図９は、いくつかの実装形態による、図４の磁気ベクトル化検出ループ４１４、４１６、４１８ａ、４１８ｂおよびワイヤレス電力伝達システムの一部分の破断図９００である。図９は、図４のダブルＤコイル４２０が第１のフェライトブロック４０２に隣接して取り付けられたときの、ダブルＤコイル４２０の破断図を示す。当然、図示のフェライトブロックは、第２のフェライトブロック４０４でもあり得る。図９は、第１のＰＣＢ４１２ａ（および／または第２のＰＣＢ４１２ｂ）がその上に取り付けられたバックプレート４０６を示す。加えて、図９は、検出ループ４１４（および／または第１から第３の検出ループ４１６、４１８ａ、４１８ｂのうちのいずれか）の少なくとも一部分のルーティング経路を示す。検出ループ４１４、４１６、４１８ａ、４１８ｂのためのフレキシブルプリント回路（ＦＰＣ）またはリボンケーブルを備えるソレノイドの使用では、ダブルＤコイル４２０と、第１のフェライトブロック４０２および／または第２のフェライトブロック４０４と、第１および／または第２のＰＣＢ４１２ａ、４１２ｂと、複数の検出ループ４１４、４１６、４１８ａ、４１８ｂのうちのいずれかとの間を極めて密に取り付けることが可能になる。したがって、いくつかの実装形態では、第１のワイヤレス電力伝達コイルは第１のフェライトブロック４０２の上または周りに巻きつけられ、第２のワイヤレス電力伝達コイルは第２のフェライトブロック４０４の上または周りに巻きつけられる（たとえば、ダブルＤコイル４２０のコイル）。
【００３０】
図１０は、いくつかの実装形態による、複数のフェライトタイル１００２を利用する図１〜図３のいずれかに関して説明したものと同様の別のワイヤレス電力伝達システムの展開等角図１０００である。図１０は、バックプレート１００６と、少なくとも１つのＰＣＢ１０１２に接続され得る複数の磁気ベクトル化検出ループ１０１４、１０１６とを示し、ＰＣＢ１０１２は、複数の検出ループ１０１４、１０１６に感知信号を与えるため、またはそれらから感知信号を受信するための電子機器を備える。また、図１０は、複数のフェライトタイル１００２に対するホルダー１００４を示す。加えて、ホルダー１００４は、検出ループ１０１４、１０１６に対する複数の溝またはガイドを備える場合がある。また、図１０は、いくつかの実装形態ではマイラーから製造され得る複数の絶縁層１００８ａ、１００８ｂ、１００８ｃ、１００８ｄ（１００８ｄは図１０では複数のタイル１００２の陰で見えない）を示す。また、図１０は、ワイヤレス電力送信または受信コイル１０２０およびコイルホルダー１０１０を示し、コイルホルダー１０１０は、コイル１０２０の導体および巻線のための複数の溝またはガイドを含む場合がある。したがって、いくつかの実装形態では、フェライト構造は、ホルダー１００４内に配置された複数のフェライトタイル１００２を備える。
【００３１】
図１１は、いくつかの実装形態による、図１０のワイヤレス電力伝達システムの一部分の展開等角図１１００である。図１１は、ワイヤレス電力伝達システムの製造、構築または製作の間にホルダー１００４内に配置され得る複数のフェライトタイル１００２を示す。
【００３２】
図１２は、いくつかの実装形態による、複数の磁気ベクトル化検出ループ１０１４、１０１６を含む図１０のワイヤレス電力伝達システムの一部分の等角図１２００である。図１２は、２つの検出ループ１０１４、１０１６とフェライトホルダー１００４とを示す。複数のフェライトタイル１００２は、図１２では見えないが、ホルダー１００４内に取り付けられてもよい。いくつかの実装形態では、他の実装形態に対して前に説明したように、検出ループも存在する場合がある。したがって、異なる方向に流れる磁束を閉じ込めるように構成された検出ループは、互いに直交する軸に沿って配置されてもよい。図１１に示すように、複数の検出ループ１０１４、１０１６は、ホルダー１００４内のガイド、溝またはスロットを利用してホルダー１００４の上または周りに巻きつけられてもよい。いくつかの実装形態では、半径フォーマー１２０２は、ホルダー１００４の周りに検出ループ１０１４、１０１６を巻きつけるための最小半径を制御するためにホルダー１００４の端部に配置されてもよい。
【００３３】
図１３は、いくつかの実装形態による、図１０のワイヤレス電力伝達システムの一部分の展開等角図１３００である。図１３は、複数のフェライトタイル１００２に取り付けられ得る複数の絶縁層１００８ａ〜１００８ｄを示す。前に説明したように、複数の絶縁層１００８ａ〜１００８ｄは、送信または受信コイル１０２０に隣接してまたは接触してホルダー１００４内に取り付けられる複数のフェライトタイル１００２を取り付けるために、片面または両面の上に接着剤を有する場合がある（図１０参照）。
【００３４】
図１４は、いくつかの実装形態による、図１０のワイヤレス電力伝達システムの一部分の等角図１４００である。図１４は、複数の絶縁層１００８ａ〜１００８ｄ（他の構成要素を見やすくするために図１４では透明である）の上に取り付けられた送信または受信コイル１０２０と、ホルダー１００４内に取り付けられた複数のフェライトタイル１００２と、バックプレート１００６とを示す。図示のように、コイル１０２０および検出ループ１０１４の導体はともに、同じ溝、スロットまたはガイドの中に退出してもよい。そのような構成は、ワイヤレス電力伝達システムの高さをさらに低減させ得る。加えて、そのような構成は、コイル１０２０と検出ループ１０１４、１０１６との間に本質的かつ物理的に安定な整合を提供し得る。
【００３５】
図１５は、いくつかの実装形態による、図１０のワイヤレス電力伝達システムの反転された一部分の等角図１５００である。図１５は、ＰＣＢ１０１２がその上に取り付けられ得るバックプレート１００６の背面を示す。複数の検出ループ１０１４、１０１６のうちの１つまたは複数は、ＰＣＢ１０１２が、複数の検出ループ１０１４、１０１６のうちの少なくとも１つに感知信号を与え得るかまたはそこから感知信号を受信し得るように、ＰＣＢ１０１２に接続されてもよい。
【００３６】
図１６は、いくつかの実装形態による、ワイヤレス電力トランスミッタとワイヤレス電力レシーバとの間の位置を決定するための方法を示すフローチャート１６００である。フローチャート１６００は、少なくとも図４〜図１５を参照しながら本明細書で説明される。フローチャート１６００は特定の順序に関して本明細書で説明されるが、様々な実装形態では、本明細書のブロックは、異なる順序で実行されてよく、または削除されてよく、追加のブロックが加えられてもよい。
【００３７】
ブロック１６０２は、フェライト構造の上または周りに巻きつけられたフレキシブルプリント回路上の金属トレースから形成された複数の検出ループの各検出ループに対して、検出ループの巻線平面に垂直な方向に流れる磁束の量を感知するステップを含む。たとえば、少なくとも図４〜図１５に関して前に説明したように、フェライト構造４０２、４０４の上または周りに巻きつけられたフレキシブルプリント回路上の金属トレースから形成された複数の検出ループ４１４、４１６、４１８ａ、４１８ｂの各検出ループは、検出ループの巻線平面（たとえば、磁束８０６のＺ成分を感知する検出ループ４１４に対するＸ−Ｙ巻線平面、磁束８０４のＹ成分を感知する検出ループ４１６に対するＸ−Ｚ巻線平面、および磁束８０２のＸ成分を感知するソレノイド検出ループ４１８ａ、４１８ｂに対するＹ−Ｚ巻線平面）に垂直な方向に流れる磁束の量を感知するように構成されてもよい。この説明は、図１０〜図１５に関して前に説明したように、ホルダー１００４内のソレノイド検出ループ１０１４、１０１６および複数のフェライトタイル１００２に同等に適用され得る。
【００３８】
ブロック１６０４は、複数の検出ループの各々によって感知された磁束の量に少なくとも部分的に基づいて、ワイヤレス電力トランスミッタとワイヤレス電力レシーバとの間の位置を決定するステップを含む。たとえば、少なくとも図４〜図１５に関して前に説明したように、プロセッサまたはコントローラ（たとえば、ＰＣＢ４１２ａ、４１２ｂ）は、複数の検出ループ４１４、４１６、４１８ａ、４１８ｂの各々によって感知される磁束８０２、８０４、８０６の量に少なくとも部分的に基づいて、ワイヤレス電力トランスミッタとワイヤレス電力レシーバとの間の位置を決定してもよい。いくつかの実装形態では、そのようなコントローラはまた、「複数の感知するための手段の各々によって感知された磁束の量に少なくとも部分的に基づいて、ワイヤレス電力トランスミッタとワイヤレス電力レシーバとの間の位置を決定するための手段」として知られている場合があり、またはその手段の少なくとも一部分を含む場合がある。
【００３９】
図１７は、いくつかの実装形態による、ワイヤレス電力トランスミッタとワイヤレス電力レシーバとの間の位置を決定するための装置を製作するための方法を示すフローチャート１７００である。フローチャート１７００は、少なくとも図４〜図１５を参照しながら本明細書で説明される。フローチャート１７００は特定の順序に関して本明細書で説明されるが、様々な実装形態では、本明細書のブロックは異なる順序で実行されてよく、または削除されてよく、追加のブロックが加えられてもよい。
【００４０】
ブロック１７０２は、フェライト構造を設けるステップを含む。たとえば、いくつかの実装形態では、フェライト構造は、図４〜図９に関して前に説明したように、第１のフェライトブロック４０２と第２のフェライトブロック４０４とを備える場合がある。いくつかの他の実装形態では、フェライト構造は、図１０〜図１５に関して前に説明したように、複数のフェライトタイル１００２を備えてよく、加えてフェライトタイルホルダー１００４を含んでもよい。
【００４１】
ブロック１７０４は、複数の検出ループを形成するためにフェライト構造の上または周りに巻きつけられるように構成可能なフレキシブルプリント回路上の複数の金属トレースを形成するステップを含む。たとえば、少なくとも図４〜図１５に関して前に説明したように、複数の金属トレースは、図１５に示すフレキシブルプリント回路上に形成されてもよい。ＦＰＣおよびＦＰＣ上に形成された金属トレースは、図４〜図９に関する複数のソレノイド検出ループ４１４、４１６、４１８ａ、４１８ｂまたは図１０〜図１５に関する１０１４、１０１６を形成するために、フェライト構造（たとえば、図４〜図９に示す第１のフェライトブロック４０２および第２のフェライトブロック４０４か、または図１０〜図１５に示すホルダー１００４内に配置された複数のフェライトタイル１００２のいずれか）の上または周りに巻きつけられるように構成されてよく、または構成可能であってもよい。これらの検出ループの各々は、（たとえば、互いに直交する、または直角を成すＸ平面、Ｙ平面およびＺ平面のうちの２つ以上において）それぞれの互いに直交する平面内で巻かれてよい。
【００４２】
ブロック１７０６は、フレキシブルプリント回路をフェライト構造の上または周りに巻きつけるステップを含む。たとえば、ＦＰＣは、図４〜図９に関して前に説明したように、第１のフェライトブロック４０２および第２のフェライトブロック４０４の上または周りに巻きつけられてよく、あるいは図１０〜図１５に関して前に説明したように、フェライトホルダー１００４内の複数のフェライトタイル１００２の周りに巻きつけられてもよい。
【００４３】
上記で説明された方法の様々な動作は、様々なハードウェアおよび／またはソフトウェア構成要素、回路、および／またはモジュールなど、動作を実施することが可能な任意の好適な手段によって実施され得る。概して、図に示された任意の動作は、その動作を実施することが可能な対応する機能的手段によって実施され得る。
【００４４】
情報および信号は、様々な異なる技術および技法のうちのいずれかを使用して表される場合がある。たとえば、上記の説明全体にわたって参照される場合があるデータ、命令、コマンド、情報、信号、ビット、記号、およびチップは、電圧、電流、電磁波、磁場もしくは磁性粒子、光場もしくは光学粒子、またはそれらの任意の組合せによって表されてもよい。
【００４５】
本明細書において開示される実装形態に関連して説明した種々の例示的な論理ブロック、モジュール、回路、およびアルゴリズムステップは、電子ハードウェア、コンピュータソフトウェア、または両方の組合せとして実装されてもよい。ハードウェアとソフトウェアのこの互換性を明確に示すために、様々な例示的な構成要素、ブロック、モジュール、回路、およびステップについて、それらの機能に関して上記において概略的に説明した。そのような機能がハードウェアとして実装されるか、またはソフトウェアとして実装されるかは、特定の用途およびシステム全体に課せられる設計制約によって決まる。説明した機能は、各特定の用途ごとに様々な方法で実装され得るが、そのような実装決定が実装形態の範囲からの逸脱を生じさせると解釈されるべきではない。
【００４６】
本明細書で開示する実装形態に関連して説明した様々な例示的なブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、個別ゲートもしくはトランジスタロジック、個別ハードウェア構成要素、または本明細書で説明した機能を実行するように設計されるそれらの任意の組合せを用いて、実装または実行され得る。プロセッサは、マイクロプロセッサである場合があるが、代替としてプロセッサは、任意の従来のプロセッサ、コントローラ、マイクロコントローラ、またはステートマシンであってもよい。プロセッサはまた、コンピューティングデバイスの組合せ、たとえば、ＤＳＰとマイクロプロセッサの組合せ、複数のマイクロプロセッサ、ＤＳＰコアと連携した１つもしくは複数のマイクロプロセッサ、または任意の他のそのような構成として実装されてよい。
【００４７】
本明細書で開示する実装形態に関連して説明した方法またはアルゴリズムのステップおよび機能は、ハードウェアにおいて直接、プロセッサによって実行されるソフトウェアモジュールにおいて、またはその２つの組合せにおいて具現され得る。ソフトウェアで実装される場合、機能は、１つまたは複数の命令またはコードとして有形の非一時的コンピュータ可読媒体上に記憶されるか、または送信され得る。ソフトウェアモジュールは、ランダムアクセスメモリ（ＲＡＭ）、フラッシュメモリ、読取り専用メモリ（ＲＯＭ）、電気的プログラマブルＲＯＭ（ＥＰＲＯＭ）、電気的消去可能プログラマブルＲＯＭ（ＥＥＰＲＯＭ）、レジスタ、ハードディスク、リムーバブルディスク、ＣＤ−ＲＯＭ、または当技術分野で知られている任意の他の形態の記憶媒体内に存在し得る。記憶媒体は、プロセッサが情報を記憶媒体から読取り、記憶媒体に情報を書き込むことができるように、プロセッサに結合される。代替として、記憶媒体は、プロセッサと一体化されてもよい。本明細書で使用される場合、ディスク（ｄｉｓｋ）およびディスク（ｄｉｓｃ）は、コンパクトディスク（ｄｉｓｃ）（ＣＤ）、レーザディスク（ｄｉｓｃ）、光ディスク（ｄｉｓｃ）、デジタル多用途ディスク（ｄｉｓｃ）（ＤＶＤ）、フロッピーディスク（ｄｉｓｋ）、およびブルーレイディスク（ｄｉｓｃ）を含み、ディスク（ｄｉｓｋ）は、通常、データを磁気的に再生するが、ディスク（ｄｉｓｃ）は、レーザを用いて光学的にデータを再生する。上記の組合せはまた、コンピュータ可読媒体の範囲内に含まれるものとする。プロセッサおよび記憶媒体は、ＡＳＩＣの中に存在することがある。
【００４８】
本開示を要約する目的のために、本明細書では、特定の態様、利点、および新規な特徴について説明してきた。任意の特定の実装形態に従って、そのような利点の必ずしもすべてが実現され得るとは限らないことを理解されたい。したがって、１つまたは複数の実装形態は、本明細書で教示または示唆されている他の利点を必ずしも達成することなく、本明細書で教示された１つの利点または利点のグループを達成または最適化する。
【００４９】
上記で説明された実装形態の様々な修正が容易に明らかになり、本明細書において規定される一般原理は、本出願の趣旨または範囲を逸脱することなく他の実装形態に適用され得る。したがって、本出願は、本明細書で示す実装形態に限定されることは意図されず、本明細書で開示する原理および新規の特徴に一致する最も広い範囲を与えられるべきである。
【符号の説明】
【００５０】
１００  ワイヤレス電力伝達システム
１０２  入力電力
１０４  トランスミッタ
１０５  ワイヤレス場
１０８  レシーバ
１１０  出力電力
１１２  距離
１１４  送電カプラ
１１８  受電カプラ
２００  ワイヤレス電力伝達システム
２０４  トランスミッタ
２０５  ワイヤレス場
２０６  送電回路構成
２０８  レシーバ
２１０  受電回路構成
２１４  送電カプラ
２１８  受電カプラ
２１９  通信チャネル
２２２  発振器
２２３  周波数制御信号
２２４  ドライバ回路
２２５  入力電圧信号（ＶＤ）
２２６  フィルタ／整合回路
２３２  整合回路
２３４  整流器回路
２３６  バッテリー
３５０  送電または受電回路構成
３５２  カプラ
３５４  キャパシタ
３５６  キャパシタ
３５８  信号
４００  展開等角図
４０２  第１のフェライトブロック
４０４  第２のフェライトブロック
４０６  バックプレート
４０８  絶縁層
４１０ａ  絶縁層
４１０ｂ  絶縁層
４１０ｃ  絶縁層
４１０ｄ  絶縁層
４１２ａ  第１のＰＣＢ
４１２ｂ  第２のＰＣＢ
４１４  検出ループ
４１６  検出ループ
４１８ａ  検出ループ
４１８ｂ  検出ループ
４２０  ダブルＤコイル
４２２  カバー
４２４ａ  第１の半径固定具
４２４ｂ  第２の半径固定具
５００  図
６００  等角図
７００  等角図
８００  折畳み等角図
８０２  磁束
８０４  磁束
８０６  磁束
９００  破断図
１０００  展開等角図
１００２  フェライトタイル
１００４  ホルダー
１００６  バックプレート
１００８ａ  絶縁層
１００８ｂ  絶縁層
１００８ｃ  絶縁層
１００８ｄ  絶縁層
１０１０  コイルホルダー
１０１２  ＰＣＢ
１０１４  磁気ベクトル化検出ループ
１０１６  磁気ベクトル化検出ループ
１１００  展開等角図
１２００  等角図
１２０２  半径フォーマー
１３００  展開等角図
１４００  等角図
１５００  等角図
【図１】
2018524957.tif 000003
【図２】
2018524957.tif 000004
【図３】
2018524957.tif 000005
【図４】
2018524957.tif 000006
【図５】
2018524957.tif 000007
【図６】
2018524957.tif 000008
【図７】
2018524957.tif 000009
【図８】
2018524957.tif 000010
【図９】
2018524957.tif 000011
【図１０】
2018524957.tif 000012
【図１１】
2018524957.tif 000013
【図１２】
2018524957.tif 000014
【図１３】
2018524957.tif 000015
【図１４】
2018524957.tif 000016
【図１５】
2018524957.tif 000017
【図１６】
2018524957.tif 000018
【図１７】
2018524957.tif 000019
【手続補正書】
【提出日】平成29年11月21日(2017.11.21)
【手続補正１】
【補正対象書類名】特許請求の範囲
【補正対象項目名】全文
【補正方法】変更
【補正の内容】
【特許請求の範囲】
【請求項１】
ワイヤレス電力トランスミッタとワイヤレス電力レシーバとの間としての相対位置を決定するための装置であって、
フェライト構造と、
フレキシブルプリント回路上の金属トレースから形成された複数の検出ループとを備え、前記検出ループの各々が、前記フェライト構造のそれぞれの部分の上および周りならびに前記検出ループの巻線平面に垂直なそれぞれの軸の周りに巻きつけられ、各検出ループが、前記検出ループの前記巻線平面に垂直な方向に流れる磁束の量を感知するように構成される、装置。
【請求項２】
前記複数の検出ループの各々が、ソレノイド検出ループを備える、請求項１に記載の装置。
【請求項３】
前記フェライト構造が、第１のフェライトブロックと、前記第１のフェライトブロックに隣接して配置された第２のフェライトブロックとを備える、請求項１に記載の装置。
【請求項４】
前記第１のフェライトブロックの上または周りに巻きつけられた第１のワイヤレス電力伝達コイルと、
前記第２のフェライトブロックの上または周りに巻きつけられた第２のワイヤレス電力伝達コイルとをさらに備える、請求項３に記載の装置。
【請求項５】
前記フェライト構造が、ホルダー内に配置された複数のフェライトタイルを備える、請求項１に記載の装置。
【請求項６】
複数の巻線ループのうちの１つが第１の軸の周りに巻かれ、前記複数の巻線ループのうちの別の１つが前記第１の軸に直交する第２の軸の周りに巻かれる、請求項１に記載の装置。
【請求項７】
前記複数の検出ループのうちの１つが、前記フェライト構造の上面の周辺に沿って配置される、請求項１に記載の装置。
【請求項８】
前記複数の検出ループのうちの１つが、前記フェライト構造の側縁に沿って配置される、請求項１に記載の装置。
【請求項９】
ワイヤレス電力トランスミッタとワイヤレス電力レシーバとの間としての相対位置を決定する方法であって、
フレキシブルプリント回路上の金属トレースから形成された複数の検出ループの各検出ループであって、前記検出ループの各々がフェライト構造のそれぞれの部分の上および周りならびに前記検出ループの巻線平面に垂直なそれぞれの軸の周りに巻きつけられる、各検出ループに対して、前記検出ループの前記巻線平面に垂直な方向に流れる磁束の量を感知するステップと、
前記複数の検出ループの各々によって感知された前記磁束の量に少なくとも部分的に基づいて、前記ワイヤレス電力トランスミッタと前記ワイヤレス電力レシーバとの間としての前記相対位置を決定するステップとを含む、方法。
【請求項１０】
前記複数の検出ループの各々が、ソレノイド検出ループを備える、請求項９に記載の方法。
【請求項１１】
前記フェライト構造が、第１のフェライトブロックと、前記第１のフェライトブロックに隣接して配置された第２のフェライトブロックとを備える、請求項９に記載の方法。
【請求項１２】
第１のワイヤレス電力伝達コイルが、前記第１のフェライトブロックの上または周りに巻きつけられ、
第２のワイヤレス電力伝達コイルが、前記第２のフェライトブロックの上または周りに巻きつけられる、請求項１１に記載の方法。
【請求項１３】
前記フェライト構造が、ホルダー内に配置された複数のフェライトタイルを備える、請求項９に記載の方法。
【請求項１４】
前記複数の検出ループのうちの１つが、前記フェライト構造の上面の周辺に沿って配置される、請求項９に記載の方法。
【請求項１５】
前記複数の検出ループのうちの１つが、前記フェライト構造の側縁に沿って配置される、請求項９に記載の方法。
【請求項１６】
ワイヤレス電力トランスミッタとワイヤレス電力レシーバとの間としての相対位置を決定するための装置を製作する方法であって、
フェライト構造を設けるステップと、
複数の検出ループを形成するために前記フェライト構造の周りに巻きつけられるように構成可能なフレキシブルプリント回路上に複数の金属トレースを形成するステップと、
前記検出ループの各々が、前記フェライト構造のそれぞれの部分の周りおよび前記検出ループの巻線平面に垂直なそれぞれの軸の周りに巻きつけられ、前記検出ループが、前記検出ループの前記巻線平面に垂直な方向に流れる磁束の量を感知するように、前記フレキシブルプリント回路を前記フェライト構造の周りに巻きつけるステップとを含む、方法。
【請求項１７】
前記複数の検出ループの各々が、ソレノイド検出ループを備える、請求項１６に記載の方法。
【請求項１８】
前記フェライト構造が、第１のフェライトブロックと、前記第１のフェライトブロックに隣接して配置された第２のフェライトブロックとを備える、請求項１６に記載の方法。
【請求項１９】
第１のワイヤレス電力伝達コイルを前記第１のフェライトブロックの上または周りに配置するステップと、
第２のワイヤレス電力伝達コイルを前記第２のフェライトブロックの上または周りに配置するステップとをさらに含む、請求項１８に記載の方法。
【請求項２０】
前記フェライト構造が、ホルダー内に配置された複数のフェライトタイルを備える、請求項１６に記載の方法。
【請求項２１】
複数の巻線ループのうちの１つが第１の軸の周りに巻かれ、前記複数の巻線ループのうちの別の１つが前記第１の軸に直交する第２の軸の周りに巻かれる、請求項１６に記載の方法。
【請求項２２】
前記複数の検出ループのうちの１つが、前記フェライト構造の上面の周辺に沿って配置される、請求項１６に記載の方法。
【請求項２３】
前記複数の検出ループのうちの１つが、前記フェライト構造の側縁に沿って配置される、請求項１６に記載の方法。
【請求項２４】
ワイヤレス電力トランスミッタとワイヤレス電力レシーバとの間としての相対位置を決定するための装置であって、
複数の感知するための手段であって、各感知するための手段が、前記感知するための手段の巻線平面に垂直な方向に流れる磁束の量を感知するように構成され、かつフレキシブルプリント回路上の複数の金属トレースから形成され、各感知するための手段が、フェライト構造のそれぞれの部分の上および周りならびに前記感知するための手段の巻線平面に垂直なそれぞれの軸の周りに巻きつけられ、前記感知するための手段の各々が、前記感知するための手段の前記巻線平面に垂直な方向に流れる磁束の量を感知するように構成される、複数の感知するための手段と、
前記複数の感知するための手段の各々によって感知された前記磁束の量に少なくとも部分的に基づいて、前記ワイヤレス電力トランスミッタと前記ワイヤレス電力レシーバとの間の前記位置を決定するための手段とを含む、装置。
【請求項２５】
前記複数の感知するための手段の各々が、ソレノイド検出ループを備える、請求項２４に記載の装置。
【請求項２６】
前記フェライト構造が、第１のフェライトブロックと、前記第１のフェライトブロックに隣接して配置された第２のフェライトブロックとを備える、請求項２４に記載の装置。
【請求項２７】
前記第１のフェライトブロックの上または周りに巻きつけられた電力をワイヤレスに伝達するための第１の手段と、
前記第２のフェライトブロックの上または周りに巻きつけられた電力をワイヤレスに伝達するための第２の手段と、をさらに含む、請求項２６に記載の装置。
【請求項２８】
前記フェライト構造が、ホルダー内に配置された複数のフェライトタイルを備える、請求項２４に記載の装置。
【請求項２９】
前記複数の感知するための手段のうちの１つが、前記フェライト構造の上面の周辺に沿って配置される、請求項２４に記載の装置。
【請求項３０】
前記複数の感知するための手段のうちの１つが、前記フェライト構造の側縁に沿って配置される、請求項２４に記載の装置。
【国際調査報告】
2018524957.tif 000020
2018524957.tif 000021
2018524957.tif 000022